(57)【要約】【課題】装置本体への着脱が容易で取外す際に水がこぼれるおそれのない水受け部を有するデザイン性にすぐれた加熱調理器を提供する。【解決手段】開口部を有し被加熱物を加熱する加熱室１０及び加熱手段発生装置を有し、前記開口部を開閉するドア６を備え、下面に前脚及び後脚が設けられた本体装置と、この装置本体の前面下部に設けられ前記ドア６に付着した結露水を溜める水受け部とを有し、前脚４０を、装置本体の幅とほぼ等しい長さの本体部と、該本体部の両端部に設けた係合部とによって構成し、水受け部６０を、前脚４０とほぼ等しい長さの凹状の水溜め部と、水溜め部の後壁の背面側に設けられ前脚４０の係合部に係止する係止部とによって構成し、装置本体の前面側下面に固定された前脚４０の前面に水受け部６０を位置させ、その係止部を前脚４０の係合部に係止して着脱可能に装着した。【選択図】図１
2008039307.tif 000002
【特許請求の範囲】
【請求項１】
開口部を有し被加熱物を加熱する加熱室及び加熱手段発生装置を有し、前記開口部を開閉するドアを備え、下面に前脚及び後脚が設けられた装置本体と、該装置本体の前面下部に設けられ前記ドアに付着した結露水を溜める水受け部とを有し、
前記前脚を、装置本体の幅とほぼ等しい長さの本体部と、該本体部の両端部に設けた係合部とによって構成し、
前記水受け部を、前記前脚とほぼ等しい長さの凹状の水溜め部と、該水溜め部の後壁の背面側に設けられ前記前脚の係合部に係止する係止部とによって構成し、
前記装置本体の前面側下面に固定された前記前脚の前面に前記水受け部を位置させ、その係止部を前記前脚の係合部に係止して着脱可能に装着したことを特徴とする加熱調理器。
【請求項２】
前記加熱室の底板の前面側又は前記水受け部の水溜め部の後壁の上縁部に、前記水受け部の水溜め部に臨む傾斜板を設けたことを特徴とする請求項１記載の加熱調理器。
【発明の詳細な説明】
【技術分野】
【０００１】
本発明は、加熱室内に収納された被加熱物を、高周波、蒸気等により加熱調理を行う加熱調理器に係り、より詳しくは、この加熱調理器内に発生した結露水を補集する水受け部に関するものである。
【背景技術】
【０００２】
高周波加熱による加熱調理器においては、被加熱物を加熱調理すると、加熱室の壁面等に結露が発生するが、蒸気加熱手段を備えた加熱調理器においては加熱室内の結露の発生がさらに著しく、特に、ドアに付着した結露が、ドアの透視窓（ガラス）やその保持部の加熱室側壁面を伝って、床面に滴下するという問題があった。
【０００３】
このような問題を解決するために、加熱室内に発生した結露水を補集する水受け部に左右一対のツメ部を設け、このツメ部を装置本体の下面前面側に設けた一対のゴム足に着脱可能に嵌合して取付けるようにした高周波加熱調理器がある（例えば、特許文献１参照）。
【０００４】
【特許文献１】特公２００４−３４７２５０号公報（第９頁、図２）
【発明の開示】
【発明が解決しようとする課題】
【０００５】
加熱調理器においては、デザイン性を向上するために、前脚を装置本体の左右の幅とほぼ同じ幅で一体化することが望ましいが、特許文献１に記載の高周波加熱調理器においては、水受け部にツメ部を設け、このツメ部を装置本体の下面に設けた一対のゴム足に嵌合するようにしているため、ゴム足を装置本体の左右の幅より内側にそれぞれ独立して設けることが必要であり、このためデザイン性を損ねるという問題があった。
また、ゴム足にツメ部を嵌合して水受け部を取付けているため、水受け部に水が溜って捨てる場合に取り外しにくく、このため水がこぼれることがあった。
【０００６】
本発明は、上記の課題を解決するためになされたもので、装置本体への着脱が容易で取外す際に水がこぼれるおそれのない水受け部を有するデザイン性にすぐれた加熱調理器を提供することを目的としたものである。
【課題を解決するための手段】
【０００７】
本発明に係る加熱調理器は、開口部を有し被加熱物を加熱する加熱室及び加熱手段発生装置を有し、前記開口部を開閉するドアを備え、下面に前脚及び後脚が設けられた装置本体と、該装置本体の前面下部に設けられ前記ドアに付着した結露水を溜める水受け部とを有し、前記前脚を、装置本体の幅とほぼ等しい長さの本体部と、該本体部の両端部に設けた係合部とによって構成し、前記水受け部を、前記前脚とほぼ等しい長さの凹状の水溜め部と、該水溜め部の後壁の背面側に設けられ前記前脚の係合部に係止する係止部とによって構成し、前記装置本体の前面側下面に固定された前記前脚の前面に前記水受け部を位置させ、その係止部を前記前脚の係合部に係止して着脱可能に装着したものである。
【発明の効果】
【０００８】
本発明によれば、加熱室の前面壁やドアの内面側に付着した結露水を確実に水受け部に補集することができ、床面等を汚すことがなく、また、前脚への水受け部の着脱が容易で、水溜め部に溜まった水をこぼすことなく取外すことのできる、意匠性にすぐれた加熱調理器を得ることができる。
【発明を実施するための最良の形態】
【０００９】
図１は本発明の一実施の形態に係る加熱調理器のドアを開いた状態を示す斜視図、図２は図１のＡ−Ａ断面図である。
【００１０】
図１，図２に示す加熱調理器は、食器等の加熱調理を高周波加熱又は蒸気加熱により行うようにしたもので、食材等の被加熱物を収容する加熱室内に高周波を供給する高周波発生手段（マグネトロン）、又は高周波加熱手段と加熱室に加熱蒸気を供給する加熱蒸気発生手段、さらに必要に応じてヒータを備え（以下の説明では、加熱蒸気発生手段及びヒータの説明は省略する）、高周波又は加熱蒸気のいずれか一方又は必要に応じてその両者を加熱室に供給して、被加熱物を調理するようにしたものである。なお、ヒータは単独で用いることもあり、高周波加熱や蒸気加熱と併用することもある。
【００１１】
図１，図２において、１は前面が開口された箱状の本体ケースで、前面が開口し内部に被加熱物が収容される加熱室１０が設けられており、加熱室１０の一方の側には、電源スイッチ、各種のダイアルスイッチ等を有する操作パネル２が、加熱室１０の前端縁から突出して設けられている。６はガラスからなる透視窓７を有し、加熱室１０の前面側に設けられて加熱室１０の開口部を開閉するドアで、本体ケース１の下部に設けたヒンジ９と結合して、上下方向に開閉可能に支持されており、前面側の上部には取っ手８が設けられている。なお、このドア６を閉じたときは、その前面側は操作部２の前面側とほぼ同一平面上に位置する。
【００１２】
本体ケース１と加熱ケース１０との間には断熱空間が設けられており、この断熱空間には必要に応じて断熱材が装填される。そして、この空間部は、加熱室１０の一方の側（操作部２の背面側）には特に大きい空間部２１が設けられている。この空間部２１の加熱室１０側には、隔壁２２により加熱室１０の仕切壁１３との間に循環ファン室２３が形成されており、加熱室１０内の雰囲気を攪拌する循環ファン２４が配設され、隔壁２２の外側に設けたモータ２５によって駆動される。
【００１３】
このため、加熱室１０と空間部２１との間の仕切壁１３には、図３に示すように、循環ファン２４と対向する位置には、加熱室１０側から循環ファン室２３側への吸気を行う吸気用通風孔１４が設けられており、上下の複数個所には循環ファン室２３側から加熱室１０への送風を行う送風用通風孔１５が設けられている。これら吸気用通風孔１４及び送風用通気孔１５は、例えば、多数のパンチ孔によって形成される。
【００１４】
この循環ファン室２３を構成する隔壁２２は、図４に示すように、仕切壁１３に設けた凹穴１６側から、隔壁２２のフランジに設けられてめねじ加工が施された凹穴２２ａに皿ねじ１７を螺入することよって固定され、頭部が凹穴１６内に埋設して加熱室１０内に突出しないようになっている。これにより、加熱室１０内に収容した調理容器８０が皿ねじ１７の頭部に接触することがない。
【００１５】
３０は空間部２１の底板１１ａ上に設置された高周波発生手段であるマグネトロン（以下の説明では、加熱蒸気発生手段を含めて加熱手段発生装置ということがある）で、その高周波出力は導波管３１に導かれて、加熱室１０の底板１１に設けた給電口１２に至り、モータ３２に駆動される回転アンテナ３３により加熱室１０に供給されるようになっている。
この導波管３１は、図５に示すように、基端部を下方に折曲げてめねじ加工が施された凹穴３５を有するフランジ部３４を設けると共に、本体ケース２１の底板２の端部を上方に折曲げて凹穴４を有するフランジ部３を設け、この凹穴４から凹穴３５のめねじにねじ５を螺入して本体ケース１に固定するようになっている。これにより、例えば、輸送中などに落下等の事故が発生しても、導波管３１が変形するおそれがない。
【００１６】
図１において、４０は本体ケース１の前面側下部に設けられた本体ケース１の左右方向の幅とほぼ同じ長さの前脚、６０は前脚４０の前面側に着脱可能に装着された前脚４０とほぼ等しい長さの水受け部である。
【００１７】
前脚４０は、図６に示すように、本体ケース１の幅とほぼ同じ長さの前面板４１と、その下部が斜め前方に張出した後述の水受け部６０の水溜め部６５を受ける受け部４２と、前面板４１と受け部４２の両端部から後方に延設して設けた側壁４３ａ，４３ｂとを有し、両側壁４３ａ，４３ｂの外面側には下端部に開口する凹溝状の係合部４４ａ，４４ｂが設けられている。
【００１８】
また、前面板４１の背面側の幅方向（以下の説明では、幅方向を長手方向ということがある）には、前面板４１と直交してリブ４５が設けられ、その両端部側は側壁４３ａ，４３ｂに連なる幅広に形成されている（以下、この部分を幅広部４６ａ，４６ｂという）。そして、この幅広部４６ａ，４６ｂの下面の後部側には、その下端部が受け部４２の下縁部より若干下方に位置する前脚部４７ａ，４７ｂが突設されており、さらにその前面側には前脚部４７ａ，４７ｂと同じ長さの補助脚部４８ａ，４８ｂが突設されている（以下、これらを一括して本体部ということがある）。この補助脚部４８ａ，４８ｂは、例えば図１に示すようにドア６を開放した際、ドア６上に重い物などを載せたりすると、加熱室１０の前面側に力が加わって装置本体の後部側が浮き上がるおそれがあるが、このような場合、補助脚部４８ａ，４８ｂによりこの力を支えることにより、後部側の浮き上がりを防止するようにしたものである。なお、この補助脚部４８ａ，４８ｂは省略してもよい。
【００１９】
このように構成した前脚４０は、前面板４１の上縁部に設けた複数の係止爪５０が本体ケース１に設けた係止部（図示せず）に係止され、幅広部４６ａ，４６ｂに設けたねじ挿通穴４９ａ，４９ｂに下から挿入したねじにより本体ケース１の底板２に固定して、本体ケース１の下面前面側の幅方向に取付けられる。なお、図１，図２の５５ａ，５５ｂは本体ケース１の底板２の後部側に設けた一対の後脚である（以下の説明では、水受け部６０を除く部分を装置本体ということがある）。
【００２０】
水受け部６０は、図７に示すように、前脚４０とほぼ同じ長さの後壁６１、上縁部が後壁６１の上縁部より低く、下縁部が後壁６１の下縁部より下方まで延設され後壁６１と所定の間隔を隔てて設けられた前壁６２、後壁６１と前壁６２の両端部に設けられた側壁６３ａ，６３ｂ、及びこれらを結ぶ底板６４とからなり、これら後壁６１、前壁６２、側壁６３ａ，６３ｂ及び底部６４により、長手方向に凹状の水溜め部６５が形成されている。そして、後壁６１の後面側の両端部近傍には、後方に向けて前脚４０の側壁４３ａ，４３ｂに設けた係合部４４ａ，４４ｂに係合する係止部６６ａ，６６ｂが設けられている。
【００２１】
上記のように構成した水受け部６０は、図８（ａ）に示すように、本体ケース１に固定された前脚４０の前面側に位置させ、矢印で示すように前脚４０に押し込むことにより、図８（ｂ）に示すように、その係止部６６ａ，６６ｂが前脚４０の係合部４４ａ，４４ｂに係止し、取付けられる。
【００２２】
このとき、水受け部６０の後壁６１は前脚４０の前面板４１に当接又は近接し、水溜め部６５は受け部４２上に位置し、前壁６２は受け部４２の前面側に位置して、前脚４０の前面側を覆っている（図９参照）。
水溜め部６５に水が溜まったときは、係止部６６ａ，６６ｂに指をかけ、両側に広げて水受け部６０を手前に引けば、係止部６６ａ，６６ｂが係合部４４ａ，４４ｂから外れるので、容易に取外すことができる。
【００２３】
図９は本発明に係る加熱調理器の作用説明図である。
本体ケース１の前面側下面に取付けられた前脚４０には、水受け部６０が着脱可能に装着されており、加熱室１０の開口部を閉じたドア６は水受け部６０の上方に位置する。
加熱室１０に収容された被加熱物が加熱調理されると、これによって発生した水蒸気が加熱室１０の内壁面に結露すると共に、ドア６の透視窓７を構成するガラス、このガラスを保持する保持部（図示せず）及びドア６の内部枠７ａ（図１）の加熱室１０側の面（以下、これらの面をドア６の内面という）にも結露する。
【００２４】
ドア６の内面に結露した結露水は、加熱室１０の前面壁１０ａとドア６の内部枠７ａを伝わって滴下する分と、ドア６の内部枠７ａからその下端部に設けた突起部７ｂを伝わって滴下する分とに分かれる。
加熱室１０の前面壁１０ａとドア６の内部枠７ａを伝わって結露水７０は、水受け部６０の後壁６１から水溜め部６５内に流入し、ドア６の内部枠７ａから突起部７ｂに伝わった結露水７１は、水溜め部６５内に垂直に滴下する。
【００２５】
この場合、水受け部６１の後壁６１を加熱室１０の前面壁１０ａより奥側に位置させ、また、ドア６の内部枠７ａに突起部７ｂを設けたことにより、結露水７０，７１を確実に水受け部の水溜め部６５内に滴下させ、補集することができる。
【００２６】
図１０は本発明の他の例を示すもので、本例は前脚４０の前面板４１の上縁部に、水受け部６０の水溜め部６５上に臨む傾斜板５１を設けたものである。これにより、加熱室１０の前面壁１０ａ及びドア６の内部枠７ａから滴下する結露水７０をより確実に水溜め部６５内に導くことができるので、床面等に結露水７０が滴下するのを防止することができる。なお、この傾斜板５１は、加熱室１０の底板１１の前面側に設けてもよい。
【００２７】
上記のように構成した本発明によれば、装置本体の前面側下面に両側壁４３ａ，４３ｂに係合部４４ａ，４４ｂを有する左右一体形状の前脚４０を設けると共に、後面側に前脚４０の係合部４４ａ，４４ｂに係止する係止部６６ａ，６６ｂが設けられ水溜め部６５を有する水受け部６０を、その係止部６６ａ，６６ｂを前脚４０の係合部４４ａ，４４ｂに係止させることにより、前脚４０の前面側を覆い、かつ着脱可能に装着するようにしたので、加熱室１０の前面壁１０ａやドア６の内面側に付着した結露水を確実に水受け部６０に補集することができ、床面等を汚すことがない。また、前脚４０への水受け部６０の着脱が容易で、水溜め部６５に溜まった水をこぼすことなく簡単に取外すことができる、意匠性にすぐれた加熱調理器を得ることができる。
【００２８】
上記の説明では、図示の加熱調理器に本発明を実施した場合を示したが、これに限定するものではなく、本発明の要旨を逸脱しない範囲で他の構造の加熱調理器にも本発明を実施することができる。
【図面の簡単な説明】
【００２９】
【図１】本発明の一実施の形態に係る加熱調理器のドアを開いた状態を示す斜視図である。
【図２】図１のＡ−Ａ断面図である。
【図３】図２の仕切壁の説明図である。
【図４】図２の仕切壁に隔壁を固定する状態を示す説明図である。
【図５】図２の導波管を本体ケースに固定する状態を示す説明図である。
【図６】図１の前脚の正面斜視図及び背面斜視図である。
【図７】図１の水受け部の正面斜視図及び背面斜視図である。
【図８】前脚に水受け部を装着する手順を示す説明図である。
【図９】本発明の要部の作用説明図である。
【図１０】本発明の要部の他の例を示す説明図である。
【符号の説明】
【００３０】
１  本体ケース、２  操作部、６  ドア、７  透視窓、１０  加熱室、１３  仕切壁、３０  高周波発生手段（マグネトロン）、３１  導波管、３３  アンテナ、４０  前脚、４１  前面板、４３ａ，４３ｂ  側壁、４４ａ，４４ｂ  係合部、４７ａ，４７ｂ  前脚部、６０  水受け部、６１  後壁、６２  前壁、６３ａ，６３ｂ  側壁、６５  水溜め部、６６ａ，６６ｂ  係止部。
【図１】
2008039307.tif 000003
【図２】
2008039307.tif 000004
【図３】
2008039307.tif 000005
【図４】
2008039307.tif 000006
【図５】
2008039307.tif 000007
【図６】
2008039307.tif 000008
【図７】
2008039307.tif 000009
【図８】
2008039307.tif 000010
【図９】
2008039307.tif 000011
【図１０】
2008039307.tif 000012